(57)【要約】【課題】地震発生時において振動が伝わり難く、建物基礎下の地盤が液状化するのを抑制できるとともに、低コストで耐久性に富んだ建物基礎及び建物基礎工法を提供する。【解決手段】、地表面ＧＬに形成された溝穴１と、前記溝穴１に敷設されたジオグリッド２と、前記ジオグリッド２上で前記溝穴１に配設された置換部材７と、前記置換部材７上に配設された基礎本体８とを有したことにより、ジオグリッド２によって建物の荷重を均等に分散し地面に伝えることで不同沈下を防止し、また地盤の地耐力を向上させる。【選択図】図１
2008163613.tif 000002
【特許請求の範囲】
【請求項１】
地表面に形成された溝穴と、前記溝穴に敷設されたジオグリッドと、前記ジオグリッド上で前記溝穴に配設された置換部材と、前記置換部材上に配設された基礎本体とを有したことを特徴とする建物基礎。
【請求項２】
前記置換部材を発泡樹脂材としたことを特徴とする請求項１記載の建物基礎。
【請求項３】
前記ジオグリッドと前記置換部材との間には、透水シートを敷設するとともに、
その透水シートの上に透水材が配設されたことを特徴とする請求項１又は２に記載の建物基礎。
【請求項４】
前記置換部材には、前記置換部材の側部及び底部を外部より遮断する遮蔽部材を備えたことを特徴とする請求項２又は３に記載の建物基礎。
【請求項５】
前記基礎本体の側面に、横方向振動吸収部材を備えたことを特徴とする請求項１〜４のいずれか１項に記載の建物基礎。
【請求項６】
前記溝穴は、前記地表面と平行な底面部と、前記底面部の外周縁部から外方に向って上向傾斜して設けられた側面部とを備えたことを特徴とする請求項１〜５のいずれか１項に記載の建物基礎。
【請求項７】
地表面を整地して溝穴を形成した後、前記溝穴にジオグリッドを敷設し、前記ジオグリッドの上から前記溝穴に置換部材を配設し、前記置換部材上に建物基礎本体を配設することを特徴とする建物基礎工法。
【請求項８】
前記置換部材として発泡樹脂材を配設することを特徴とする請求項７記載の建物基礎工法。
【請求項９】
前記ジオグリッドと前記置換部材との間に透水シートを敷設するとともに、その透水シートの上に透水材を配設することを特徴とする請求項７又は８に記載の建物基礎工法。
【請求項１０】
前記置換部材の側面及び底面を遮断部材により覆うことを特徴とする請求項８又は９に記載の建物基礎工法。
【発明の詳細な説明】
【技術分野】
【０００１】
本発明は、低層建築物用の建物基礎及び建物基礎工法に関する。
【背景技術】
【０００２】
従来、低層建築物用の建物基礎に関して地震発生時の耐震性を考慮したものとしては、整地した地表に連続した溝を形成し、発泡樹脂材によって定形に形成される基礎材を、該地表及び溝に敷設し、該基盤材の表面を、束部を設けてコンクリート材で被覆敷設して形成することを特徴とする低層建築物用基礎構造が提案されている（例えば、特許文献１参照）。
【０００３】
また、低層建築物用の建物基礎に関して地震発生時の縦揺れ及び横揺れに対する耐震性を考慮したものとしては、地盤上に設けられる建造物の基礎の下部に前記地盤の密度より小さい浮力用基盤を埋設するとともに、前記基礎の周囲を囲繞する緩衝領域を埋設したことを特徴とする建造物における免振基礎構造が提案されている（例えば、特許文献２参照）。
【０００４】
さらに、低層建築物用の建築基礎に関する地盤沈下対策や不同沈下対策を講じたものとしては、地盤上に設けられる建造物の基礎の下部に前記地盤の密度より小さい浮力用基礎を埋設した建造物における基礎構造であって、前記構造物の底面全域において、前記基礎の単位面積当りの浮力を、前記建造物及び前記基礎の単位面積当りの荷重から単位面積当りの地盤強度を指し引いた値にほぼ等しくすることを特徴とする建造物における基礎構造が提案されている（例えば、特許文献３参照）。
【特許文献１】特開平９−２７３１６０号公報
【特許文献２】特開２００５−１４６６１１号公報
【特許文献３】特開２００３−１３４６０号公報
【発明の開示】
【発明が解決しようとする課題】
【０００５】
上記した従来技術では、地震発生時における耐震性等を向上させるため、地盤材料の一部として発泡樹脂材を用いている点で共通している。その結果、地震発生時において建物が受けるダメージを一定程度軽減できることは確かであるが、建物基礎下の地盤が液状化することを十分に回避できるものではなかった。地震の揺れによって地盤が液状化すると、建物自体のダメージが少ない場合であっても、建物全体として傾いてしまい、その補修に多大な費用を要することになる。
【０００６】
また、加えて、地盤材料の一部として用いられる発泡樹脂材についても、高い衝撃吸収性及び低比重という面において、非常に優れた置換用の地盤材料ではある反面、材料費が高価なために、建物基礎の施工費用の増大を抑えることを目的として、この発泡樹脂材の使用量を抑える必要があった。
【０００７】
本発明は、上記した事情に鑑みてなされたものであり、地震発生時において振動が伝わり難く、建物基礎下の地盤が液状化するのを抑制できるとともに、低コストで耐久性に富んだ建物基礎及び建物基礎工法を提供することを目的とする。
【０００８】
さらに、本発明は、発泡樹脂材の使用量を抑え、施工費用の増大を抑えた建物基礎及び建物基礎工法を提供することを目的とする。
【課題を解決するための手段】
【０００９】
請求項１の発明は、地表面に形成された溝穴と、前記溝穴に敷設されたジオグリッドと、前記ジオグリッド上で前記溝穴に配設された置換部材と、前記置換部材上に配設された基礎本体とを有したことである。
【００１０】
請求項２の発明は、請求項１記載の建物基礎において、前記置換部材を発泡樹脂材としたことである。
【００１１】
請求項３の発明は、請求項１又は２に記載の建物基礎において、前記ジオグリッドと前記置換部材との間には、透水シートを敷設するとともに、その透水シートの上に透水材が配設されたことである。
【００１２】
請求項４の発明は、請求項２又は３に記載の建物基礎において、前記置換部材には、前記置換部材の側部及び底部を外部より遮断する遮蔽部材を備えたことである。
【００１３】
請求項５の発明は、請求項１〜４のいずれか１項に記載の建物基礎において、前記基礎本体の側面に、横方向振動吸収部材を備えたことである。
【００１４】
請求項６の発明は、請求項１〜５のいずれか１項に記載の建物基礎において、前記溝穴は、前記地表面と平行な底面部と、前記底面部の外周縁部から外方に向って上向傾斜して設けられた側面部とを備えたことである。
【００１５】
請求項７の発明は、地表面を整地して溝穴を形成した後、前記溝穴にジオグリッドを敷設し、前記ジオグリッドの上から前記溝穴に置換部材を配設し、前記置換部材上に建物基礎本体を配設することである。
【００１６】
請求項８の発明は、請求項７記載の建物基礎工法において、前記置換部材として発泡樹脂材を配設することである。
【００１７】
請求項９の発明は、請求項７又は８に記載の建物基礎工法において、前記ジオグリッドと前記置換部材との間に透水シートを敷設するとともに、その透水シートの上に透水材を配設することである。
【００１８】
請求項１０の発明は、請求項８又は９に記載の建物基礎工法において、前記置換部材の側面及び底面を遮断部材により覆うことである。
【発明の効果】
【００１９】
請求項１の発明によれば、ジオグリッドによって建物の荷重を均等に分散し地面に伝えることで不同沈下を防止し、また地盤の地耐力を向上させる。
【００２０】
請求項２の発明によれば、溝穴の土を発泡樹脂材と置き換えることによって、地盤に加わる重量が軽くなり、地盤に関わる負担が軽減される。また、地震時には、発泡樹脂材が振動を吸収・反射し、建物に加わる振動を減衰させることが可能となる。つまり、ジオグリッドおよび発泡樹脂材を組み合わせた形態とすることにより、ジオグリッドにより建物の荷重を受けることによって、その荷重が均等に分散されて地面に伝えられ、これによって、発泡樹脂材の使用量を削減し、発泡樹脂材にかかるコストを大幅に削減させることができる。さらに、直下型地震のように真下から突き上げられるような衝撃を置換部材のクッション効果により大幅に減衰させることができる。
【００２１】
請求項３の発明によれば、溝穴の水分を排出することで、地震時の液状化を防ぐとともに、溝穴の湿気除去をすることができる。さらに、交通振動・地震時の振動を透水材が揺れる事により、建物に加わる振動を減衰させることが可能となる。
【００２２】
請求項４の発明によれば、置換部材の側部及び底部を外部から遮断することによって、置換部材に油、薬品等が付着することを防いで、油、薬品等の付着が原因で引き起こされる置換部材における材質の劣化を防ぐことができる。
【００２３】
請求項５の発明によれば、横方向より建物基礎に加わる振動を減衰させることができる。
【００２４】
請求項６の発明によれば、溝穴の底面だけではなく側面に対しても建物の荷重がジオグリッドを通じて分散して伝えられ、地盤にかかる負担を軽減させることができる。
【００２５】
請求項７の発明によれば、ジオグリッドによって建物の荷重を均等に分散し地面に伝えることで不同沈下を防止し、また地盤の地耐力を向上させる。
【００２６】
請求項８の発明によれば、溝穴の土を発泡樹脂材と置き換えることによって、地盤に加わる重量が軽くなり、地盤に関わる負担が軽減される。また、地震時には、発泡樹脂材が振動を吸収・反射し、建物に加わる振動を減衰させることが可能となる。つまり、ジオグリッドおよび発泡樹脂材を組み合わせた形態とすることにより、ジオグリッドにより建物の荷重を受けることによって、その荷重が均等に分散されて地面に伝えられ、これによって、発泡樹脂材の使用量を削減し、発泡樹脂材にかかるコストを大幅に削減させることができる。さらに、直下型地震のように真下から突き上げられるような衝撃を置換部材のクッション効果により大幅に減衰させることができる。
【００２７】
請求項９の発明によれば、溝穴の水分を排出することで、地震時の液状化を防ぐとともに、溝穴の湿気除去をすることができる。さらに、交通振動・地震時の振動を透水材が揺れる事により、建物に加わる振動を減衰させることが可能となる。
【００２８】
請求項１０の発明によれば、置換部材の側部及び底部を外部から遮断することによって、置換部材に油、薬品等が付着することを防いで、油、薬品等の付着が原因で引き起こされる第２の置換部材における材質の劣化を防ぐことができる。
【発明を実施するための最良の形態】
【００２９】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００３０】
図１は、本発明の流況測定装置の第１実施例を示しており、図中に本発明の建物基礎の概略を示す。
【００３１】
本発明の第１の実施例に関る建物基礎は、地表面ＧＬを掘り下げて形成された溝穴１と、この溝穴１に敷設されたジオグリッド２と、ジオグリッド２の上方に重ねて敷設された透水シート３と、透水シート３に配設された透水材４と、透水材４に敷設された遮断部材たる土木シート５と、土木シート５に薄層状に設けた砂体６と、砂体６に敷設された置換部材７と、置換部材７に打設されたコンクリートからなる基礎本体８とを有した積層構造を有している。
【００３２】
以下、上記の各構成についての詳細な説明を行う。
【００３３】
溝穴１は、地表面ＧＬから所定距離落ち込み、地表面ＧＬに対し平行に形成された底面部９と、底面部９の外縁部分から溝穴１の上部開口部分に向けて漸次拡張するように傾斜して形成された側面部10とを有している。
【００３４】
ジオグリッド２は、引張抵抗性のある構成要素が連結した規則的な格子構造からなるシート状のもので、ポリエステル等の高分子材料からなり、溝穴１の底面部９と側面部10を共に十分に履覆可能な面積を有し、縦及び横方向の引張強さが４０ｋＮ／ｍ程度、縦及び横方向の伸び率が２２％以下のものが有効である。
【００３５】
透水シート３は、前記ジオグリッド２と同等の面積を有し、ポリプロピレン等の樹脂により形成された透水性を有する不織布であり、厚さが１．２〜４．０ｍｍ（試験方法  ＪＩＳ１９０８）、縦及び横方向の引張強さが５．８〜２３．４ｋＮ／ｍ（試験方法  ＪＩＳ１９０８）のものが有効である。
【００３６】
透水材４としては、砂利又は砕石等の石材が有効である。そして、この透水材４は、溝穴１の側面部10の中段にかかるくらいまで充填されている。
【００３７】
土木シート５には、溝穴１に敷設された透水材４における上面部分の面積より大きな面積を有し、ポリエステル等の樹脂により形成され、透水性を有するものが有効である。
【００３８】
置換部材７は、発泡ポリスチレン、発泡ポリプロピレン、発泡ポリエチレン・ポリスチレン共重合体等の発泡樹脂材が有効であり、特に、ＥＰＳ（Expanded Poly-Styrol）が有効である。このＥＰＳには、製法の違いから型内発泡法（ＥＰＳ:Expanded Poly Styrol）と押出発泡法（ＸＰＳ:Extruded Poly Styrol）とがあるが、本実施例においては、両者をあわせてＥＰＳと呼称する。
【００３９】
そして、この置換部材７、砂体６及び土木シート５は、土木シート５により砂体６を下側から包み込むと同時に、この砂体６の上部に敷設された置換部材７における側面及び上面の一部を下側から包み込むように配置しており、置換部材７と土木シート５とにより薄層状に設けられた砂体６を挟み込んだサンドイッチ構造を採用している。
【００４０】
そして、置換部材７は、置換部材７における上面の外縁を水平に落し込んで形成された凹縁11と、この凹縁11と前記上面との境界に形成された面取り部12とを備えている。
【００４１】
さらに、置換部材７のその側面と凹縁11には、それぞれ保護コンクリート13と均しコンクリート14が打設されている。
【００４２】
また、置換部材７の上面には、上面の中央部分を落し込んで形成された凹部15が形成されている。
【００４３】
それにより、置換部材７は、底面を外側より土木シート５と砂体６に覆われ、側面及び上面の外縁を保護コンクリート13、均しコンクリート14及び土木シート５に覆われるとともに、さらに、上面を基礎本体８に覆われ、全方向を覆われた構造を有している。
【００４４】
基礎本体８は、置換部材７の上面、均しコンクリート14が備えられた置換部材７の凹縁11、面取り部12及び凹部15対してベタ基礎となるように打設されたコンクリートからなり、建物を支持可能に水平に形成された上面部16と前記置換部材７の前記凹縁11、面取り部12及び凹部15等の凹凸に対し整合する底面部17とを備えている。
【００４５】
さらに、基礎本体８の側面には、横方向衝撃吸収部材18が備えられている。この横方向衝撃吸収部材18には、発泡ポリプロピレン（Expanded Poly-Propylene：ＥＰＰ、以下、ＥＰＰという）や前記ＥＰＳ等の発泡樹脂材が用いられ、その中でも衝撃吸収性の面においてＥＰＰが有効である。
【００４６】
以上の構成を有する本実施例の建物基礎におけるその工法手順は、先ずは、地表面ＧＬを整地して溝穴１を形成した後、ジオグリッド２を溝穴１の底面部９と側面部10とを覆うように敷設する。その後、透水シート３をジオグリッド２の上方に重ねて敷設する。
【００４７】
次に、透水材４を透水シート３の上から溝穴１の側面部10の中段位まで充填し、透水材４の上からローラーで４方向に十分に転圧を行った後、土木シート５を透水材４の上部に敷設する。その後、砂体６を土木シート５の上部に薄層状に配設し、その砂体６の上に置換部材７を配設する。
【００４８】
続いて、土木シート５の外縁を内側に折り返し、土木シート５により置換部材７の側面及び凹部15を包み込んだ後、保護コンクリート13及び均しコンクリート14を土木シート５の外側から置換部材７の側面及び凹部15を覆うように打設する。その後、置換部材７及び均しコンクリート14の上からコンクリートを打設して基礎本体８を形成する。
【００４９】
そして、基礎本体８の側面に横方向衝撃吸収部材18を配置した後、最後に、溝穴１の隙間を埋めて建物基礎の施行が完了する。
【００５０】
地震時に地盤より伝わる振動や工事中や道路からの振動を、透水材４たる砕石が揺れることにより減衰させ、さらに置換部材７たるＥＰＳが残りの振動を吸収・反射し減衰させる。
【００５１】
直下型地震では、地面真下より突き上げられるような現象においても置換部材７たるＥＰＳが、真下より突き上げられる衝撃をクッション効果により大幅に減衰させる。
【００５２】
さらに、地面から伝わる横方向の振動については、基礎本体８の側面に設けられた横方向衝撃吸収部材18により、減衰される。
【００５３】
ジオグリッド２は、格子構造を有したことで、摩擦特性に優れ、溝穴１の側面及び底面に敷設された状態では、ジオグリッド２の網目に溝穴１における底面部９及び側面部10の表層の砂利等が嵌り込み、これによりジオグリッド２と溝穴１の底面部９及び側面部10とが機械的に噛み合う、いわゆるインターロッキング効果により、ジオグリッド２と溝穴１の底面部９及び側面部10とが互いに拘束し合い一体化する。この場合には、建物からの荷重がジオグリッド２を通じて溝穴１の底面部９及び側面部10へと均等に分散して伝わる。
【００５４】
同様に、ジオグリッド２と透水シート３との接触箇所や透水シート３と透水材４との接触箇所についても、前述したインターロッキング効果により、互いに拘束し一体化している。
【００５５】
透水シート３を備えたことにより、溝穴１の土層と透水材４とを分離させ、土粒子の相互混入を防ぐ。さらに、透水材４の余剰水を集水し、排水させる。そして、透水シート３の引張強度及び摩擦特性により溝穴１の強度を向上させるとともに、溝穴１及びジオグリッド２の損傷を防ぐ。
【００５６】
下側に砂体６を薄層状に配設した置換部材７を、さらに砂体６の下側より土木シート５によって置換部材７の底面及び側面及び上面における外縁までを覆ったことにより、置換部材７への油、薬品等の付着を防ぐ。これによって建物基礎からの荷重下における置換部材７が油、薬品等の付着によって、ストレスクラック（ケミカルストレスクラックあるいはソルベントクラックという）が生じることを防ぐ。
【００５７】
さらに、置換部材７の下側に砂体６を薄層状に配設し、透水性を有する土木シート５により覆ったことで、砂体６により置換部材７と土木シート５との間の余剰水及び湿気を集水し、土木シート５の外部へと排水させる。これにより、置換部材７が余剰水及び湿気を吸収し、置換部材７たる発泡樹脂材の組織内の気泡内部に水分が充填することを防ぎ、置換部材７における密度の上昇を防ぐ。この場合には、置換部材７における衝撃吸収性及び断熱性の低下が抑えられる。
【００５８】
土木シート５の外側から置換部材７における側面及び上面の凹縁11とを保護部材により覆うことにより、土木シート５と同様に置換部材７への油、薬品等の付着を防ぐとともに、土木シート５が置換部材７から離脱しないように押える機能も有する。
【００５９】
置換部材７の上部に設けられた基礎本体８は、コンクリートを置換部材７の上面に沿って打設された一枚板状の、いわゆるベタ基礎としたことにより、建物の荷重を透水材４、置換部材７及びジオグリッド２に均等に伝える。
【００６０】
以上のように、前記実施例では請求項１に対応して、地表面ＧＬに形成された溝穴１と、前記溝穴１に敷設されたジオグリッド２と、前記ジオグリッド２上で前記溝穴１に配設された置換部材７と、前記置換部材７上に配設された基礎本体８とを有したことにより、ジオグリッド２によって建物の荷重を均等に分散し地面に伝えることで不同沈下を防止し、また地盤の地耐力を向上させる。
【００６１】
また、前記実施例では請求項２に対応して、前記置換部材７を発泡樹脂材としたことにより、溝穴１の土を発泡樹脂材７と置き換えることによって、地盤に加わる重量が軽くなり、地盤に関わる負担が軽減される。また、地震時には、発泡樹脂材７が振動を吸収・反射し、建物に加わる振動を減衰させることが可能となる。つまり、ジオグリッド２および発泡樹脂材７を組み合わせた形態とすることにより、ジオグリッド２により建物の荷重を受けることによって、その荷重が均等に分散されて地面に伝えられ、これによって、発泡樹脂材７の使用量を削減し、発泡樹脂材７にかかるコストを大幅に削減させることができる。さらに、直下型地震のように真下から突き上げられるような衝撃を置換部材７のクッション効果により大幅に減衰させることができる。
【００６２】
さらに、前記実施例では請求項３に対応して、前記ジオグリッド２と前記置換部材７との間には、透水シート３を敷設するとともに、その透水シート３の上に透水材４が配置されたことにより、溝穴１の水分を排出することで、地震時の液状化を防ぐとともに、溝穴１の湿気除去をすることができる。さらに、交通振動・地震時の振動を透水材４が揺れる事により、建物に加わる振動を減衰させることが可能となる。
【００６３】
また、前記実施例では請求項４に対応して、前記置換部材７には、前記置換部材７の側部及び底部を外部より遮断する遮蔽部材５を備えたことにより、置換部材７の側部及び底部を外部から遮断することによって、置換部材７に油、薬品等が付着することを防いで、油、薬品等の付着が原因で引き起こされる置換部材７における材質の劣化を防ぐことができる。
【００６４】
さらに、前記実施例では請求項５に対応して、前記基礎本体７の側面に、横方向振動吸収部材18を備えたことにより、横方向より建物基礎に加わる振動を減衰させることができる。
【００６５】
また、前記実施例では請求項６に対応して、前記溝穴１は、前記地表面ＧＬと平行な底面部９と、前記底面部９の外周縁部から外方に向って上向傾斜して設けられた側面部10とを備えたことにより、溝穴１の底面だけではなく側面に対しても建物の荷重がジオグリッド２を通じて分散して伝えられ、地盤にかかる負担を軽減させることができる。
【００６６】
さらに、前記実施例では請求項７に対応して、地表面ＧＬを整地して溝穴１を形成した後、前記溝穴１にジオグリッド２を敷設し、前記ジオグリッド２の上から前記溝穴１に置換部材７を配設し、前記置換部材７上に建物基礎本体８を配設することにより、ジオグリッド２によって建物の荷重を均等に分散し地面に伝えることで不同沈下を防止し、また地盤の地耐力を向上させる。
【００６７】
また、前記実施例では請求項８に対応して、前記置換部材７として発泡樹脂材を配設することにより、溝穴１の土を発泡樹脂材７と置き換えることによって、地盤に加わる重量が軽くなり、地盤に関わる負担が軽減される。また、地震時には、発泡樹脂材７が振動を吸収・反射し、建物に加わる振動を減衰させることが可能となる。つまり、ジオグリッド２および発泡樹脂材７を組み合わせた形態とすることにより、ジオグリッド２により建物の荷重を受けることによって、その荷重が均等に分散されて地面に伝えられ、これによって、発泡樹脂材７の使用量を削減し、発泡樹脂材７にかかるコストを大幅に削減させることができる。さらに、直下型地震のように真下から突き上げられるような衝撃を置換部材７のクッション効果により大幅に減衰させることができる。
【００６８】
さらに、前記実施例では請求項９に対応して、前記ジオグリッド２と前記置換部材７との間に透水シート３を敷設するとともに、その透水シート３の上に透水材４を配置することにより、溝穴１の水分を排出することで、地震時の液状化を防ぐとともに、溝穴１の湿気除去をすることができる。さらに、交通振動・地震時の振動を透水材４が揺れる事により、建物に加わる振動を減衰させることが可能となる。
【００６９】
また、前記実施例では請求項１０に対応して、前記置換部材７の側面及び底面を遮断部材５により覆ったことにより、置換部材７の側部及び底部を外部から遮断することによって、置換部材７に油、薬品等が付着することを防いで、油、薬品等の付着が原因で引き起こされる置換部材７における材質の劣化を防ぐことができる。
【実施例２】
【００７０】
図２は、本発明の第２の実施例を示し、本発明の第２の実施例に関る建物基礎は、地表面ＧＬを掘り下げて形成された溝穴１と、この溝穴１に敷設されたジオグリッド２と、ジオグリッド２の上方に重ねて敷設された透水シート３と、透水シート３に配設された透水材４と、透水材４上に配設された置換部材19と、置換部材19に打設されたコンクリートからなる基礎本体８とを有した積層構造を有している。
【００７１】
以下、上記第１実施例と同一部分に同一符号を付し、その詳細な説明を省略して詳述すると、この例では、透水材４の上面に対し、転用土又は改良土からなる置換部材19が盛土されている。ここで、転用土とは、建設発生土のその場転用、運搬転用及びその他の残土の転用をいう。さらに、改良土とは、建設発生残土を改良し、リサイクルして再度使えるようにした土のことで、生石灰、高炉セメントＢ種、セメント系固化材等の安定処理剤を用いて安定処理が行われたものをいう。
【００７２】
置換部材19の上面中央部分には、底面中央部分まで貫通する凹孔20が形成され、さらに、置換部材19における上面の外縁には、面取り部21が形成されている。そして、置換部材19の周縁には、均しコンクリート14が打設される。
【００７３】
基礎本体８は、置換部材19の上面及び均しコンクリート14に対し、ベタ基礎となるように打設されたコンクリートからなり、建物を支持可能に水平に形成された上面部16と、置換部材19の前記凹孔20、面取り部21等の凹凸に対し整合する底面部17とを備えている。
【００７４】
以上の構成を有する本実施例の建物基礎におけるその工法手順は、先ずは、地表面ＧＬを整地して溝穴１を形成した後、ジオグリッド２を溝穴１の底面部９と側面部10とを覆うように敷設する。その後、透水シート３をジオグリッド２の上方に重ねて敷設する。
【００７５】
次に、透水材４を透水シート３の上から溝穴１の側面の中段位まで充填し、透水材４の上からローラーで４方向に十分に転圧を行った後、透水材４の上面に置換部材19を盛土する。
【００７６】
続いて、置換部材19及び均しコンクリート14の上からコンクリートを打設して基礎本体８を形成し、最後に、溝穴１の隙間を埋めて建物基礎の施行が完了する。
【００７７】
本発明上の効果として、建物基礎にかかる工程段階が大幅に削減されることで、人件費等のコストが削減されるとともに、建物基礎の施工に関わる材料に発泡樹脂材等の材料費に負担となるような材料を使用しないことで、材料費のコストが大幅に削減できる。
【００７８】
本実施例は、請求項１、請求項３、請求項６、請求項７および請求項９に対応して、上記第１実施例と同様な作用，効果を奏する。
【００７９】
尚、本発明は上記実施例に限定されるものではなく、本発明の要旨の範囲内において、種々の変形実施が可能である。例えば、保護コンクリートと均しコンクリートを一体としたものでもよいものとする。さらに、基礎本体を前記実施例では、ベタ基礎としていたが、布基礎としてもよいものとする。
【図面の簡単な説明】
【００８０】
【図１】本発明の第１実施例を示す建物基礎の断面図である。
【図２】本発明の第２実施例を示す建物基礎の断面図である。
【符号の説明】
【００８１】
１  溝穴
２  ジオグリッド
３  透水シート
４  透水材
５  土木シート（遮蔽部材）
７,19  置換部材
８  基礎本体
９  底面部（溝穴）
10  側面部（溝穴）
18  横方向衝撃吸収部材
ＧＬ  地表面
【図１】
2008163613.tif 000003
【図２】
2008163613.tif 000004